(57)【要約】      （修正有）【課題】プッシュボタンが細長くても確実にスイッチが押せて、各部の位置精度を必要とせずに容易に組み立て可能で、プッシュボタンとパネル穴の隙間を最小にする。【解決手段】基板上のスイッチと、スイッチをオン／オフ操作するプッシュボタン３と、プッシュボタン３をスイッチオフ方向に付勢するばね８と、プッシュボタン３を保持するホルダー７と、を備えるプッシュボタン構造であって、プッシュボタン３とホルダー７に、プッシュボタン３のスイッチオン／オフ動作を案内するガイド部３２・７２を備える。具体的には、ガイド部は、プッシュボタン３のスイッチをオン／オフ操作する軸部３１と平行に設けたガイドリブ３２と、ホルダー７の軸部３１を案内する穴部７１と別に形成したガイド穴７２とからなる。軸部３１及びガイド部を挟んでその両側にばね８が配置される。【選択図】図７
2012134019.tif 000002
【特許請求の範囲】
【請求項１】
基板上のスイッチと、
前記スイッチをオン／オフ操作するプッシュボタンと、
前記プッシュボタンをスイッチオフ方向に付勢するばねと、
前記プッシュボタンを保持するホルダーと、を備えるプッシュボタン構造であって、
前記プッシュボタンとホルダーに、前記プッシュボタンのスイッチオン／オフ動作を案内するガイド部を備えることを特徴とするプッシュボタン構造。
【請求項２】
前記ガイド部は、前記プッシュボタンの前記スイッチをオン／オフ操作する軸部と平行に設けたガイドリブと、前記ホルダーの前記軸部を案内する穴部と別に形成したガイド穴とからなることを特徴とする請求項１に記載のプッシュボタン構造。
【請求項３】
前記軸部及びガイド部を挟んでその両側に前記ばねが配置されることを特徴とする請求項２に記載のプッシュボタン構造。
【請求項４】
請求項１から３のいずれか一項に記載のプッシュボタン構造を備えることを特徴とする電子機器。
【請求項５】
前記プッシュボタンはシャッターボタンであることを特徴とする請求項４に記載の電子機器。
【発明の詳細な説明】
【技術分野】
【０００１】
本発明は、プッシュボタン構造と、そのプッシュボタン構造を備える電子機器に関する。
【背景技術】
【０００２】
カメラには、基板上のスイッチをオン／オフ操作するプッシュボタンが備えられ、例えば特許文献１において、板ばねによりプッシュボタンの中央部をスイッチオフ方向に付勢した構造が開示される。
【先行技術文献】
【特許文献】
【０００３】
【特許文献１】特開２００３−１９７０６２号公報
【発明の概要】
【発明が解決しようとする課題】
【０００４】
例えばプッシュボタンが細長いデザインのカメラでは、その細長いボタンの長端部を押すと、ボタン中央部に位置するスイッチに対し離れるため、ボタンに回転トルクがかかり、プッシュボタン全体が上下動しないで傾きやすく、安定して押せなくなる。
また、特許文献１に開示にように、板ばねによりプッシュボタンの中央部をオフ方向に付勢した構造では、特に細長いプッシュボタンの場合には同様に、ボタンが傾きやすく、安定して押せなくなる。
そして、プッシュボタンと筐体のパネル穴との干渉を防ぐには隙間を大きく開ける必要があるが、細長いボタンの幅に対して隙間の割合が大きくなるのはデザイン上好ましくない。
一方、細長いプッシュボタンとパネル穴との隙間を小さくするためには、各部の位置精度及び角度ずれ精度を上げる必要があるが、生産性が悪く、コストアップになる。
【０００５】
本発明の課題は、プッシュボタンが細長くても確実にスイッチが押せて、各部の位置精度を必要とせずに容易に組み立て可能で、プッシュボタンとパネル穴の隙間を最小にすることである。
【課題を解決するための手段】
【０００６】
以上の課題を解決するため、請求項１に記載の発明は、基板上のスイッチと、前記スイッチをオン／オフ操作するプッシュボタンと、前記プッシュボタンをスイッチオフ方向に付勢するばねと、前記プッシュボタンを保持するホルダーと、を備えるプッシュボタン構造であって、前記プッシュボタンとホルダーに、前記プッシュボタンのスイッチオン／オフ動作を案内するガイド部を備えることを特徴とする。
【０００７】
請求項２に記載の発明は、請求項１に記載のプッシュボタン構造であって、前記ガイド部は、前記プッシュボタンの前記スイッチをオン／オフ操作する軸部と平行に設けたガイドリブと、前記ホルダーの前記軸部を案内する穴部と別に形成したガイド穴とからなることを特徴とする。
【０００８】
請求項３に記載の発明は、請求項２に記載のプッシュボタン構造であって、前記軸部及びガイド部を挟んでその両側に前記ばねが配置されることを特徴とする。
【０００９】
請求項４に記載の発明は、請求項１から３のいずれか一項に記載のプッシュボタン構造を備える電子機器を特徴とする。
【００１０】
請求項５に記載の発明は、請求項４に記載の電子機器であって、前記プッシュボタンはシャッターボタンであることを特徴とする。
【発明の効果】
【００１１】
本発明によれば、プッシュボタンが細長くても確実にスイッチが押せて、しかも、各部の位置精度を必要とせずに容易に組み立てすることができる上、プッシュボタンとパネル穴の隙間を最小にして外観を良好にすることができる。
【図面の簡単な説明】
【００１２】
【図１】本発明を適用した電子機器の一実施形態の構成を示すもので、カメラの斜視  図である。
【図２】図１のシャッターボタン部分の破断図である。
【図３】図２のシャッターボタンの長手方向に沿った断面図である。
【図４】図２のシャッターボタンの幅方向に沿った断面図である。
【図５】図３の斜視図である。
【図６】シャッターボタン、ばね及びホルダーの分解斜視図で、シャッターボタン側から示した図である。
【図７】シャッターボタン、ばね及びホルダーの分解斜視図で、ホルダー側から示した図である。
【発明を実施するための形態】
【００１３】
以下、図を参照して本発明を実施するための形態を詳細に説明する。
図１は本発明を適用した電子機器の一実施形態の構成としてカメラを示すもので、１は筐体、２は表示部、３はシャッターボタンである。
【００１４】
図示のように、筐体１には、液晶表示による表示部２及びその隣に並ぶシャッターボタン３が備えられており、シャッターボタン３は表示部２の縁と筐体１の本体幅の間の細長い間隔に配置され細長い形状で、表示部２に沿って配置されている。
【００１５】
シャッターボタン３は、図２及び図３に示すように、筐体１内のフレーム４にねじ止め固定した基板５の上に搭載されたスイッチ６をオン／オフ操作するプッシュボタンで、筐体１に形成された細長いパネル穴１１から外部に露出している。
このシャッターボタン３は、フレーム４にねじ止め固定したホルダー７に保持されて、一対の圧縮コイルばね８によりスイッチオフ方向に付勢されている。
【００１６】
シャッターボタン３には、スイッチ６に接触してオン／オフ操作する中央の円柱による軸部３１と、図４及び図７にも示すように、シャッターボタン３の変形防止の目的で、軸部３１と一体に平行する平板状のガイドリブ３２とが形成されている。
さらに、パネル穴１１からの抜け止めを行うフランジ３３と、軸部３１を挟んで長手方向の両側において、ホルダー７に係止する一対の係止爪３４と、圧縮コイルばね８を装着する一対の棒状部３５が形成されている。
【００１７】
ホルダー７には、図５から図７にも示すように、軸部３１を案内する中央の丸穴部７１と、ガイドリブ３２を案内する細長いガイド穴７２とが形成されている。
さらに、丸穴部７１を挟んで長手方向の両側において、係止爪３４をそれぞれ挿入して係止する角穴による一対の係止穴７４と、圧縮コイルばね８を案内する丸穴による一対のガイド穴７５が形成されている。また、丸穴部７１の周囲には、軸部３１によって押し拡げられるのを防止する立ち上がり壁７６が形成されている。
【００１８】
以上のホルダー７に対しシャッターボタン３を、丸穴部７１に軸部３１を、細長いガイド穴７２にガイドリブ３２を、その両側の一対の角穴による係止穴７４に係止爪３４を、同じく一対の丸穴によるガイド穴７５に圧縮コイルばね８をそれぞれ挿入して、係止穴７４に係止爪３４をそれぞれ係止して組み込む。
そして、フレーム４にホルダー７をねじ止め固定して、筐体１のパネル穴１１からシャッターボタン３を外部に露出する。
【００１９】
ここで、細長いシャッターボタン３は、中央の丸穴部７１及びその周囲の立ち上がり壁７６に対する軸部３１の摺動と、一対の角穴による係止穴７４に対する係止爪３４の摺動に加えて、丸穴部７１に隣接する細長いガイド穴７２に対する平板状のガイドリブ３２の摺動により、長手方向及び幅方向ともホルダー７によって規制される。
そして、シャッターボタン３とパネル穴１１の長手方向及び幅方向の隙間は接触しない程度に確保する。
【００２０】
以上のシャッターボタン３は指で押したり離したりすると、ホルダー７の丸穴部７１及びその周囲の立ち上がり壁７６に軸部３１が摺動して上下動すると同時に、丸穴部７１に隣接する細長いガイド穴７２に平板状のガイドリブ３２が摺動して上下動する。
従って、細長いシャッターボタン３であっても、その長手方向や幅方向に傾くことなく、中央の軸部３１によりスイッチ６を確実に押してオン動作させることができる。
【００２１】
以上、実施形態のシャッターボタン構造によれば、スイッチ６を含む内部構造とパネル穴１１との位置精度や角度ずれ精度を必要としないで、容易に組み立てすることができるため、生産性が向上し、部品及び生産コストを削減できる。
しかも、細長いシャッターボタン３の長短部を押しても確実にスイッチ６を押すことができて、シャッターボタン３とパネル穴１１との隙間も最小にできるため、デザインを損ねないで、外観も優れた細長いシャッターボタン３を備えることを実現できる。
【００２２】
（変形例）
以上の実施形態においては、カメラとしたが、本発明はこれに限定されるものではなく、カメラを備える携帯電話などの電子機器であってもよい。
また、実施形態では、シャッターボタンとしたが、他のプッシュボタンであってもよい。
さらに、プッシュボタン及びガイド部の形状等も任意であり、その他、具体的な細部構造等についても適宜に変更可能であることは勿論である。
【符号の説明】
【００２３】
１  筐体
１１  パネル穴
３  プッシュボタン
３１  軸部
３２  ガイドリブ
３３  フランジ
３４  係止爪
３５  棒状部
５  基板
６  スイッチ
７  ホルダー
７１  穴部
７２  ガイド穴
７４  係止穴
７５  ガイド穴
７６  立ち上がり壁
８  ばね
【図１】
2012134019.tif 000003
【図２】
2012134019.tif 000004
【図３】
2012134019.tif 000005
【図４】
2012134019.tif 000006
【図５】
2012134019.tif 000007
【図６】
2012134019.tif 000008
【図７】
2012134019.tif 000009